(57)【特許請求の範囲】
【請求項１】
トロリ線本線と、これに交差するわたり線との間の高低差を表示するわたり線高低差表示装置において、
相互間隔を置いた測定対象の前記本線からわたり線にほぼ及ぶベースと、
このベースの中央に固定され、本線とわたり線との間隔方向の気泡の移動範囲に沿って目盛りを有する水準器と、
前記ベースの両端部に固定され、前記本線及びわたり線を夫々把持し、少なくとも一方が高さ調節の可能なハンガイヤーとを具備し、
前記本線及びわたり線を夫々把持した状態における水準器の気泡位置の目盛りで表示される傾きから高低差を確認することを特徴とするわたり線高低差表示装置。
【請求項２】
前記ハンガイヤーの少なくとも一方は、ハンガイヤー相互の間隔を変更して取付可能であることを特徴とする請求項１に記載のわたり線高低差表示装置。
【発明の詳細な説明】
【０００１】
【産業上の利用分野】
本発明は、トロリ線の本線にわたり線が交差する箇所における両線の高低差を表示するわたり線高低差表示装置に関するものである。
【０００２】
【従来の技術】
従来、本線とわたり線との高低差を測定するには、トロリ線高さ測定装置によって夫々を個別に測定して比較することにより行われている。
【０００３】
【発明が解決しようとする課題】
上記従来の測定においては、大がかりな測定装置を準備しなければならず、高低差を簡易迅速に確認できないという問題がある。
そこで、本発明は、本線とわたり線との高低差を簡易迅速に確認するわたり線高低差表示装置を提供することを課題としている。
【０００４】
【課題を解決するための手段】
上記課題を解決するため、第１の発明においては、トロリ線本線Ｍと、これに交差するわたり線Ｓとの間の高低差を表示するわたり線高低差表示装置において、相互間隔を置いた測定対象の本線Ｍからわたり線Ｓにほぼ及ぶベース１の中央に水準器１２を固定し、ベース１の両端部にハンガイヤー２，８を取り付ける。水準器１２は、本線Ｍとわたり線Ｓとの間隔方向に気泡Ａが移動可能で、その移動範囲に沿って目盛り１２ｂを設ける。ハンガイヤー２，８は、本線Ｍ及びわたり線Ｓを夫々把持し、少なくとも一方２が高さ調節の可能に設ける。そして、本線Ｍ及びわたり線Ｓを夫々把持した状態における水準器１２の気泡位置Ａの目盛り１２ｂで表示されるベース１の傾きから高低差を確認する。
第２の発明においては、ハンガイヤーの少なくとも一方２を、ハンガイヤー８との相互間隔を変更できるように位置調整可能にベース１に取り付けるようにした。
【０００５】
【発明の実施の形態】
本発明の実施の一形態を図面を参照して説明する。
図１及び図２において、わたり線高低差表示装置は、測定対象の本線Ｍからわたり線Ｓまで及ぶベース１を備えている。このベース１はアルミ製で、一長辺が開放した幅広の矩形断面を有する長尺のチャンネル材で構成されている。
【０００６】
ベース１の一端部（図中左端部）には、トロリ線を吊り止める上下位置を調整可能なハンガイヤー２が取り付けられている。このハンガイヤー２が取り付けられるベース１の部分には長手方向に取付位置を変更するための長孔１ａが設けられている。ハンガイヤー２は、図３に示すように、ねじが形成されたハンガバー２ａと、その下端部に取り付けられた対向一対のイヤ片２ｂと、イヤ片２ｂを締め止めるボルト２ｃとを備えている。ハンガバー２ａには、ベース１上にカラー５が介在してロックナット４が螺合する。ベース１の内側には補強部材３が嵌合する。補強部材３は略直方形状を成し、ベース１の長孔１ａに対応する長孔３ａを有し、長手方向の両端部にボルト７でベース１に固定される。ハンガバー２ａには、タップ付きフランジ６が螺合しており、その回転によりハンガバー２ａを軸方向に移動させてハンガイヤー２の高さ位置を調整できる。
【０００７】
ベース１の他端部（図１中右端部）には、トロリ線を吊り止めるハンガイヤー８が取り付けられている。このハンガイヤー８は架線方向に対して横方向に揺動可能である。ハンガイヤー８が取り付けられるベース１の先端には、取付ブロック９が嵌合している。取付ブロック９には、側方へ突出してハンガイヤー８が固定される固定片１０が固着されている。固定片１０は取付ブロック９に対して上下に揺動可能な柔軟性を有する。ハンガイヤー８は固定片１０にロックナット１１で固定される。ハンガイヤー８は、ねじが形成されたハンガバー８ａと、その下端部に取り付けられた対向一対のイヤ片８ｂと、イヤ片８ｂを締め止めるボルト８ｃとを備えている。
【０００８】
ベース１の中央下面には、水準器１２が固定されている。水準器１２は、図４に示すように、ベース１の長手方向に伸びた水溜１２ａの中に気泡Ａが入っており、その傾きに応じて気泡Ａが移動して、気泡Ａの位置によって傾きを確認できるようになっている。水溜１２ａの表面には気泡Ａの位置を示す目盛り１２ｂが刻まれている。この目盛り１２ｂはベース１が水平にある状態で中央に０゜、左右に所定長さずつ傾きが１゜、２゜、３゜・・・に設定されており、これに対応して高低差が約１５mm、３０mm、４５mm・・・となっている。
【０００９】
本実施形態に係るわたり線高低差表示装置においては、本線Ｍとこれに交差するわたり線Ｓとの間に取り付ける。わたり線高低差表示装置のハンガイヤー２，８は、予めこれらが把持する本線Ｍとわたり線Ｓが水平になる基準位置に固定しておく。ハンガイヤー２，８は、本線Ｍとわたり線Ｓにイヤ片２ｂ，８ｂを夫々咬ませ、ボルト８ｃを締めることにより強く把持する。このとき、本線Ｍとわたり線Ｓとの間隔に応じてハンガイヤー２の位置を長孔１ａの範囲内で調整してハンガイヤー８との間隔を合わせ、ロックナット４で固定する。わたり線高低差表示装置を本線Ｍとわたり線Ｓとの間に取り付けたら、水準器１２の気泡位置の目盛り１２ｂで表示される傾きを読み、この傾きから予め算出されている高低差が確認できる。
【００１０】
上記のような高低差の測定の他に、ある箇所の高低差を基準にして他の箇所の高低差を測定する場合には、基準となる高低差でタップ付きフランジ６を回転させてハンガイヤー２の高さ位置を調整して水準器１２の気泡Ａの位置を０゜に戻し、この状態で別の箇所の本線Ｍとわたり線Ｓの間にわたり線高低差表示装置を取り付ける。そして、水準器１２の気泡位置の目盛り１２ｂで表示される傾きを読み、この傾きから基準の高低差に対する高さ変動を確認することができる。
【００１１】
【発明の効果】
以上のように、本発明は、構造が簡単で、取付けも容易であり、わたり線と本線との高低差を簡易迅速に確認することができる。
また、わたり線と本線との間隔の変動に対応して取り付けることができるという効果を有する。
【図面の簡単な説明】
【図１】本発明に係るわたり線高低差表示装置の正面図である。
【図２】わたり線高低差表示装置の平面図である。
【図３】高さ調節機構付きハンガイヤーの平面図である。
【図４】水準器の平面図である。
【符号の説明図】
１    ベース
１ａ  長孔
２    ハンガイヤー
３ａ  長孔
４    ロックナット
６    タップ付きフランジ
８    ハンガイヤー
１２    水準器
１２ｂ  目盛り
Ａ    気泡
Ｍ    本線
Ｓ    わたり線
【図１】
0004439747.tif 000002
【図２】
0004439747.tif 000003
【図３】
0004439747.tif 000004
【図４】
0004439747.tif 000005